(57)【特許請求の範囲】
【請求項１】
コンロ本体の天板上に、バーナの炎を囲う、内外２重壁構造の筒状の五徳を載置し、五徳の内周壁に排気窓を開設すると共に、五徳の２重壁間の空間に連通する排気通路を設けて、排気通路に排気ファンを介設し、バーナの炎により生じた熱気を五徳で囲われた空間から排気窓を介して強制的に吸引排気する炎漏出防止型コンロにおいて、五徳の外周壁の下端と天板との一方に、五徳の外周壁の下端を周方向の複数箇所で天板に接触させるための複数の突起を形成したことを特徴とする炎漏出防止型コンロ。
【発明の詳細な説明】
【０００１】
【発明の属する技術分野】
本発明は、バーナの炎や炎により生じた熱気が五徳の外側に漏出することを防止できるようにした炎漏出防止型コンロに関する。
【０００２】
【従来の技術】
従来のコンロは、爪付きの五徳を用い、バーナの炎や炎により生じた熱気が五徳の爪部に載置する鍋の底面に沿って五徳の外側に自然に放出されるようにしているが、このものでは、放出された熱気の一部が鍋の取手に達してこれを加熱し、取手が持ちづらくなるといった不具合を生ずる。
【０００３】
かかる不具合を解消するため、本願出願人は、先に特願平７−１０７４０３号により、コンロ本体の天板上に、バーナの炎を囲う、内外２重壁構造の筒状の五徳を載置し、五徳の内周壁に排気窓を開設すると共に、五徳の２重壁間の空間に連通する排気通路を設けて、排気通路に排気ファンを介設し、バーナの炎により生じた熱気を五徳で囲われた空間から排気窓を介して強制的に吸引排気し、五徳の外側への炎や熱気の漏出を防止し得るようにした炎漏出防止型コンロを提案している。
【０００４】
【発明が解決しようとする課題】
上記した炎漏出防止型コンロでは、五徳の外周壁を介して五徳から天板への熱移動を生じ、天板が加熱されて煮こぼれ汁等がこびり付き易くなる。また、天板への熱移動は、五徳からの伝達による鍋の加熱にとって熱損失になり、加熱効率の向上を図る上でも問題になっている。
更に、炎漏出防止型コンロでは、排気ファンが高温の熱気に晒されるため、排気ファンの熱害が問題になる。
本発明は、以上の点に鑑み、五徳から天板への熱移動を抑制し、且つ、排気ファンの熱害も防止できるようにした炎漏出防止型がコンロを提供することを課題としている。
【０００５】
【課題を解決するための手段】
上記課題を解決すべく、本発明では、コンロ本体の天板上に、バーナの炎を囲う、内外２重壁構造の筒状の五徳を載置し、五徳の内周壁に排気窓を開設すると共に、五徳の２重壁間の空間に連通する排気通路を設けて、排気通路に排気ファンを介設し、バーナの炎により生じた熱気を五徳で囲われた空間から排気窓を介して強制的に吸引排気する炎漏出防止型コンロにおいて、五徳の外周壁の下端と天板との一方に、五徳の外周壁の下端を周方向の複数箇所で天板に接触させるための複数の突起を形成したことを特徴とする。
【０００６】
本発明によれば、五徳の外周壁が突起の形成箇所でのみ天板に接触することになり、五徳から天板への外周壁を介しての熱移動が抑制される。かくて、天板の加熱が防止されて煮こぼれ汁等がこびり付きにくくなり、また、五徳が高温に保たれるため五徳からの伝熱による鍋の加熱が促進されて、加熱効率が向上する。更に、排気ファンの吸引力により突起間の隙間から五徳の２重壁間の空間を介して排気通路に外気が吸引され、排気温度が低下して排気ファンの熱害も防止される。
【０００７】
【発明の実施の形態】
図１を参照して、１はコンロ本体であり、コンロ本体１の上面の天板２上に五徳３が載置されている。
天板２は、外天板２０と、外天板２０に形成した開口２０ａの周縁部に係合する内天板２１とで構成されている。五徳３は、内外２重壁構造の筒状に形成されており、五徳３の外周壁３０を外天板２０の開口２０ａの周縁部上面に載置し、五徳３の内周壁３１を内天板２１の上面に載置している。
【０００８】
内天板２１の下側には有底筒状の燃焼筐４が設けられており、燃焼筐４にバーナ５を収納している。バーナ５は、内周に炎孔５ａを有する内炎式リングバーナで構成されており、バーナ５からの炎Ｆが、内天板２１の中央部に開設した開口２１ａを通して、五徳３で囲われる空間に立昇るようにしている。尚、燃焼筐４には複数の通気孔４０が開設されており、これら通気孔４０を介して燃焼筐４内に燃焼用の二次空気が導入される。
【０００９】
五徳３の内周壁３１には、周方向に間隔を存して複数の排気窓３２が開設されている。また、内天板２１を上下２重壁構造として、内天板２１の上壁に、五徳３の２重壁間の空間と内天板２１の２重壁間の空間とを連通する複数の連通孔２１ｂを形成し、更に、内天板２１の２重壁間の空間を天板２の奥部に形成した排気口６ａに連通する排気ダクト６を設け、内天板２１と排気ダクト６とで五徳３の２重壁間の空間に連通する排気通路を構成している。排気ダクト６には排気ファン７が介設されており、かくて、五徳３に鍋Ｐを載置した状態において、バーナ５の炎Ｆにより生じた熱気は五徳３で囲われる空間から排気窓３２を介して強制的に吸引排気される。そのため、五徳３の外側に熱気が漏出することはなく、鍋Ｐの取手ＰＨが熱気で加熱されることもない。
【００１０】
五徳３の外周壁３０の下端には、図２に示すように、周方向に間隔を存して複数の爪状突起３３が形成されており、これら突起３３を外天板２０の開口２０ａの周縁部上面に当接させている。かくて、五徳３の外周壁３０と外天板２０との接触面積は、外周壁３０の下端を全周に亘って外天板２０に接触させるものに比し大幅に減少し、熱気により加熱される五徳３から外天板２０への外周壁３０を介しての熱移動が抑制される。その結果、外天板２０の加熱が防止されて煮こぼれ汁等がこびり付きにくくなると共に、五徳３が高温に保たれ、五徳３からの伝熱による鍋Ｐの加熱が促進され、加熱効率が向上する。
【００１１】
また、排気ファン７の吸引力により突起３３間の隙間から連通孔２１ｂを介して排気通路に外気が吸引され、排気温度が低下して排気ファン７の熱害が防止される。この場合、五徳３の２重壁間の空間に外気が流入するが、外気は突起３３間の隙間から連通孔２１ｂに短絡的に流れるだけであり、そのため、外気による五徳３の冷却は生じず、五徳３から鍋Ｐへの伝熱が損なわれることはない。
【００１２】
尚、煮こぼれを生ずると、突起３３間の隙間から煮こぼれた汁等が五徳３内に侵入する可能性があり、そこで、本実施形態では、外天板２０の開口２０ａの周縁部を内方に向かって上方に傾斜させて、外天板２０にこぼれ落ちた汁等の五徳３内への侵入を防止すると共に、突起３３を内向きに傾斜させて、五徳３の外周壁３０を伝って垂れ落ちる汁等の五徳３内への侵入を防止できるようにしている。
【００１３】
以上、五徳３の外周壁３０の下端に突起３３を形成した実施形態について説明したが、外天板２０の開口２０ａの周辺部に周方向に間隔を存して複数の突起を形成して、これに外周壁３０の下端を当接させるようにしても良い。また、上記実施形態では、天板２を外天板２０と内天板２１との２分割構造としているが、一体構造にすることも勿論可能である。
【図面の簡単な説明】
【図１】  本発明に係るコンロの一例の截断側面図
【図２】  図１のII−II線から見た五徳の側面図
【符号の説明】
１  コンロ本体              ２  天板
３  五徳                  ３０  外周壁
３１  内周壁                ３２  排気窓
３３  突起                    ５  バーナ
６  排気ダクト              ７  排気ファン
【図１】
0003751356.tif 000002
【図２】
0003751356.tif 000003